(57)【要約】【課題】操作部の設定により制御データ調節設定モードを備え制御データを容易に変更できる制御装置を搭載した冷蔵庫を提供する。【解決手段】冷蔵庫庫内の温度を検知する庫内温度検知手段と庫内温度の設定をボタン操作で行える操作部と操作部で設定された設定により庫内温度を設定する庫内温度設定手段と蒸発器で冷却された冷気を冷蔵庫庫内に循環させるための送風機と前記蒸発器につながれた冷媒圧縮機等冷却システムを制御する制御装置とからなり、庫内温度を制御する設定値を操作部の設定による冷蔵庫制御データ調節設定モードで任意の値に設定できるようにする。【選択図】図１
2011252634.tif 000002
【特許請求の範囲】
【請求項１】
冷蔵庫内の温度を検知する庫内温度検知手段と庫内温度の設定をボタン操作で行える操作部と操作部で設定された設定により庫内温度を設定する庫内温度設定手段と蒸発器で冷却された冷気を冷蔵庫庫内に循環させるための送風機と前記蒸発器につながれた冷媒圧縮機等冷却システムを制御する制御装置とからなり、庫内温度を制御する設定値を操作部の設定による冷蔵庫制御データ調節設定モードで任意の値に設定できることを特徴とする冷蔵庫の制御装置。
【請求項２】
前記操作部の設定による冷蔵庫制御データ調節設定モードにより圧縮機の運転回転数設定を任意の値に設定できる請求項１記載の冷蔵庫の制御装置。
【請求項３】
前記操作部の設定による冷蔵庫制御データ調節設定モードにより送風機の運転回転数設定を任意の値に設定できる請求項１記載の冷蔵庫の制御装置。
【請求項４】
冷蔵庫内温度補償ヒータを備え、前記操作部の設定による冷蔵庫制御データ調節設定モードにより庫内温度補償ヒータの通電率設定を任意の値に設定できる請求項１記載の冷蔵庫の制御装置。
【請求項５】
冷蔵庫運転制御データを記憶保持する記憶手段を備え、操作部の設定による冷蔵庫制御データ調節設定モードにより設定された冷蔵庫運転制御用データを記憶する請求項１から請求項４のいずれか一項に記載の冷蔵庫の制御装置。
【発明の詳細な説明】
【技術分野】
【０００１】
本発明は、冷蔵庫の制御設定値を設定可変できる機能を持たせた冷蔵庫に関するものである。
【背景技術】
【０００２】
従来の技術としては冷蔵庫据え付け状態または夏場の周囲温度条件による冷蔵庫庫内温度クレームの対応として、冷蔵庫内温度の調節を行う温度調節基板上にジャンパー線を実装しており、ジャンパー線を切り取ることにより冷蔵庫内温度を微調節することができるようにしたものがある。
【０００３】
以下、図面を参照しながら、上記従来の冷蔵庫について説明する。
【０００４】
図３は従来の冷蔵庫内温度を検出する回路図である。冷凍室庫内温度検知手段の抵抗器１０３と並列にある抵抗器１０４の合成抵抗と冷凍室温度センサ１０１の検知する温度抵抗（温度変化）により電圧Ｖｃｃを分圧する。抵抗器１０５により冷凍室温度センサ１０１に加わる電圧を読み取り、その冷凍室温度センサ１０１の電圧をマイコン５０に入力する。
【０００５】
冷蔵庫の使用状態又は夏場の周囲温度条件により冷凍室の冷えが悪く設定温度にならない場合は、冷蔵庫内温度検知手段の抵抗器１０３と並列の当該抵抗器１０４を切断することにより、マイコン５０に入力される冷凍室温度センサ１０１の検出電圧値を下げ、マイコン５０は冷凍室が設定温度より、高温側にあることを確認し冷却運転を開始する。
【０００６】
冷蔵庫の据え付け状態又は夏場の周囲温度条件により冷凍室が冷え過ぎてしまうという場合には、冷蔵庫内温度検知手段の抵抗１０６と並列の当該ジャンパー線１０７を切断することにより、マイコン５０に入力される冷凍室温度センサ１０１の検出電圧を上げる。これによりマイコン５０は冷凍室が設定温度より、低温側にあることを確認し、冷却運転を停止する。
【０００７】
このように抵抗やジャンパー線を切り取ることにより庫内温度設定をシフトできるようにしている。また冷蔵室も同様に冷蔵室庫内温度検知手段の抵抗器１１１と並列にある抵抗器１１２の合成抵抗と冷蔵室温度センサ１０９の検知する温度抵抗（温度変化）により電圧Ｖｃｃを分圧する。抵抗器１１３により冷蔵室温度センサ１０９に加わる電圧を読み取り、その冷蔵室温度センサ１０９の電圧をマイコン５０に入力する。
【０００８】
冷蔵庫の使用状態又は夏場の周囲温度条件により冷蔵室の冷えが悪く設定温度にならない場合は、冷蔵庫内温度検知手段の抵抗器１１１と並列の当該抵抗器１１２を切断することにより、マイコン５０に入力される冷蔵室温度センサ１０９の検出電圧値を下げ、マイコン５０は冷蔵室が設定温度より、高温側にあることを確認し冷却運転を開始する。
【０００９】
冷蔵庫の据え付け状態又は夏場の周囲温度条件により冷蔵室が冷え過ぎてしまうという場合には、冷蔵庫内温度検知手段の抵抗１１４と並列の当該ジャンパー線１１５を切断することにより、マイコン５０に入力される冷蔵室温度センサ１０９の検出電圧を上げる。これによりマイコン５０は冷凍室が設定温度より、低温側にあることを確認し、冷却運転を停止する。このように抵抗やジャンパー線を切り取ることにより庫内温度設定をシフトできるようにしている。
【先行技術文献】
【特許文献】
【００１０】
【特許文献１】特開２００２−３１８０６７号公報
【発明の概要】
【発明が解決しようとする課題】
【００１１】
しかしながら、上記従来の構成では、基板完成後の仕様変更に備えて、必要最低限の電気回路部品に加えてジャンパー線が必要であり、それらの材料費及び部品実装費が追加で必要となり、庫内温度調節も予め設定した温度にしかシフトできないという課題を有していた。
【課題を解決するための手段】
【００１２】
上記従来の課題を解決する為に本発明の冷蔵庫は、冷蔵庫庫内の温度を検知する庫内温度検知手段と庫内温度の設定をボタン操作で行える操作部と操作部で設定された設定により庫内温度を設定する庫内温度設定手段と蒸発器で冷却された冷気を冷蔵庫庫内に循環させるための送風機と前記蒸発器につながれた冷媒圧縮機等冷却システムを制御する制御装置とからなり、操作部の設定による冷蔵庫制御データ調節設定モードにより庫内温度を制御する設定値を任意の値に設定できるようにしたものである。
【００１３】
これによって、温度調節用抵抗やジャンパー線が必要なくなり、冷蔵庫の運転を停止することなく容易に制御する値を変更できる。
【００１４】
また、庫内温度制御用温度設定値の変更だけではなく、圧縮機や送風機の回転数制御設定値や庫内温度補償ヒータの通電率制御設定値も変更可能としたものである。これによって、より精度の高い庫内温度設定変更が可能となる。
【００１５】
また、冷蔵庫運転制御データを記憶保持する記憶手段を備え、操作部の設定による冷蔵庫制御データ調節設定モードにより設定された冷蔵庫運転制御用データを記憶するようにしたものである。
【００１６】
これによって、停電等で冷蔵庫の電源がＯＦＦしても設定された冷蔵庫運転制御用データを記憶しているため、冷蔵庫の運転が再開した後も設定変更された冷蔵庫運転制御データで運転を再開することができる。
【発明の効果】
【００１７】
本発明の冷蔵庫は、温度調節用抵抗やジャンパー線が必要なくなり、冷蔵庫の運転を停止することなく容易に制御する値を変更できる。
【図面の簡単な説明】
【００１８】
【図１】本発明による冷蔵庫の実施例１のブロック図
【図２】本発明による扉装置の実施例１のフローチャート
【図３】本発明による従来例の回路図
【発明を実施するための形態】
【００１９】
請求項１に記載の発明は、冷蔵庫庫内の温度を検知する庫内温度検知手段と庫内温度の設定をボタン操作で行える操作部と操作部で設定された設定により庫内温度を設定する庫内温度設定手段と蒸発器で冷却された冷気を冷蔵庫庫内に循環させるための送風機と前記蒸発器につながれた冷媒圧縮機等冷却システムを制御する制御装置とからなり、庫内温度を制御する設定値を操作部の設定による冷蔵庫制御データ調節設定モードで任意の値に設定できるようにするものである。この発明によれば、温度調節用抵抗やジャンパー線が必
要なくなり、冷蔵庫の運転を停止することなく容易に制御する値を変更できる。
【００２０】
請求項２に記載の発明は、操作部の設定による冷蔵庫制御データ調節設定モードにより圧縮機の運転回転数設定を任意の値に設定できるようにするものである。この発明によれば、冷えが悪いといった庫内温度クレーム対応だけでなく圧縮機の運転音によるクレームの対応ができる。
【００２１】
請求項３に記載の発明は、操作部の設定による冷蔵庫制御データ調節設定モードにより送風機の運転回転数設定を任意の値に設定できるようにするものである。この発明によれば、より精度の高い庫内温度変更が可能となる。
【００２２】
請求項４に記載の発明は、冷蔵庫内温度補償ヒータを備え、操作部の設定による冷蔵庫制御データ調節設定モードにより庫内温度補償ヒータの通電率設定を任意の値に設定できるようにするものである。この発明によれば、野菜室の冷えすぎといったクレームの対応ができる。
【００２３】
請求項５に記載の発明は、冷蔵庫運転制御データを記憶保持する記憶手段を備え、操作部の設定による冷蔵庫制御データ調節設定モードにより設定された冷蔵庫運転制御用データを記憶するようにするものである。この発明によれば、停電等で冷蔵庫の電源がＯＦＦしても設定された冷蔵庫運転制御用データを記憶しているため、冷蔵庫の運転が再開した後も設定変更された冷蔵庫運転制御データで運転を再開することができる。
【００２４】
以下、本発明の実施の形態について、図面を参照しながら説明するが、従来例または先に説明した実施の形態と同一構成については同一符号を付して、その詳細な説明は省略する。
【００２５】
なお、この実施の形態によってこの発明が限定されるものではない。
【００２６】
（実施の形態１）
図１は、本発明の実施の形態１における、冷蔵庫の制御装置のブロック図であり、図２は動作を示すフローチャートであり、以下図１、図２を参照しながら説明する。
【００２７】
冷凍室温度制御において、冷凍室内に温度を検出するためのセンサ１を設けて、冷凍室の温度変化を読み取り、庫内温度変化を庫内温度検知手段２で検知する。冷凍室の設定温度に対し、センサ検出温度の方が高い場合には、圧縮機３を圧縮機駆動手段４で運転するように制御手段５で判定し制御する。
【００２８】
この際、前記温度差が高ければ圧縮機３の回転数を増加させ冷却力を向上して早く設定温度に近づけるよう制御する。圧縮機３の運転中に冷蔵庫内に冷気を循環させるため送風機駆動手段６で冷却用送風機７を運転する。また逆に、冷凍室の設定温度に対し、センサ検出温度の方が低い場合には、圧縮機３を停止させると共に冷却用送風機７も停止させる。これらの制御により、冷凍室が冷却される。
【００２９】
冷蔵室温度制御において、冷蔵室内に温度を検出するためのセンサ８を設けて、冷蔵室の温度変化を読み取り、庫内温度変化を庫内温度検知手段２で検知する。冷蔵室の設定温度に対し、センサ検出温度の方が高い場合には、冷蔵室の入口に設けられたバッフルの開閉を行う電動ダンパ９を「開」状態にするように制御手段５で判定しダンパ駆動手段１０で運転する。
【００３０】
この際、前記温度差が高ければ冷却用送風機７の回転数を増加させ冷却力を向上して早
く設定温度に近づけるよう制御する。この時、圧縮機３が停止中は電動ダンパ９を強制的に「閉」とする。また逆に、冷凍室の設定温度に対し、センサ検出温度の方が低い場合には、電動ダンパ９を「閉」の状態にさせる。これらの制御により、冷蔵室が冷却される。また、操作ボタンを備える操作部１１からの設定によって冷凍室や冷蔵室の温度をあらかじめ設定された温度にユーザー自身が調節可能としており、本発明においては操作部１１で制御データ調節設定モード開始操作を行うと、あらかじめ設定された庫内温度制御データとは別に庫内温度制御データを任意の値に調節可能とし、庫内温度設定手段１２で冷凍室、冷蔵室の温度を任意の温度に調節可能としたものである。記憶手段１３は、制御データ調節設定モードで設定された制御データ設定値を停電時でも記憶できるものである。
【００３１】
また、庫内温度補償用ヒータ１４は制御手段５で設定された通電率で補償ヒータ駆動手段１５により通電制御され、庫内の冷えすぎや結露を防止する。
【００３２】
以上のように構成された冷蔵庫の制御装置において、図２を参照しながら動作説明を行う。まず、操作部１１で通常使用では操作しない操作設定で冷蔵庫制御データ調節設定を行えるモードを設定する。これにより冷蔵庫制御データ調節設定モードでは冷凍室、冷蔵室の庫内温度制御用データ（圧縮機３のＯＮ／ＯＦＦさせるための判定温度やダンパ９を開／閉させるための判定温度）や圧縮機３や送風機７の運転回転数設定、庫内温度補償ヒータ１４の通電率設定等を任意の値に設定できるものである。例えば冷凍室庫内温度が１℃高めの場合は現在設定を１℃低めに、２℃高めの場合は２℃低めに設定というふうに現在設定から任意の値に変更可能なものとする。このようにしてステップ１００で冷蔵庫制御データ調節設定を行う。
【００３３】
次にステップ１０１ではステップ１００で設定調節された値に圧縮機３のｏｎ／ｏｆｆ設定値、ダンパ９の開閉設定値、圧縮機３の回転数設定、送風機７回転数設定、庫内温度補償ヒータ１４の通電率を設定する。次にステップ１０２で冷凍室庫内温度と圧縮機３のｏｎ設定値を比較し庫内温度が高ければステップ１０３に進み、圧縮機３をｏｎさせる。ステップ１０２で冷凍室庫内温度と圧縮機３のｏｎ設定値を比較し庫内温度が低ければステップ１０４に進み、冷凍室庫内温度と圧縮機３のｏｆｆ設定値を比較し庫内温度が低ければステップ１０５で圧縮機３をｏｆｆさせる。ステップ１０４で冷凍室庫内温度と圧縮機３のｏｆｆ設定値を比較し庫内温度が高ければそのまま圧縮機ｏｎを継続させる。
【００３４】
次にステップ１０６で冷蔵室庫内温度とダンパ９の開設定値を比較し庫内温度が高ければステップ１０７に進み、ダンパ９を「開」状態にさせる。ステップ１０６で冷蔵室庫内温度とダンパ９の開設定値を比較し庫内温度が低ければステップ１０８に進み、冷蔵室庫内温度とダンパ９の閉設定値を比較し庫内温度が低ければステップ１０９でダンパ９を「閉」状態にさせる。
【００３５】
ステップ１０８で冷蔵室庫内温度とダンパ９の閉設定値を比較し庫内温度が高ければそのままダンパ９を「開」状態を継続させる。
【００３６】
以上のように、操作部１１の設定による冷蔵庫制御データ調節設定モードによって冷凍室、冷蔵室の庫内温度制御用データを任意の値に設定できるため、温度調節用抵抗やジャンパー線が必要なくなり、冷蔵庫の運転を停止することなく容易に制御する値を変更することができる。
【００３７】
また、ステップ２００で、冷凍室庫内温度と圧縮機３のｏｎ設定温度との差が大きければ、ステップ２０１で圧縮機３の回転数を上昇させ、より早く庫内温度を設定温度に近づけるよう運転する。このように庫内温度により圧縮機３の回転数を可変する設定にしているが、冷蔵庫の設置状態や圧縮機の回転数設定によっては騒音や振動といったクレームに
なる場合があるため、クレームが発生した場合は冷蔵庫の設置状態等により使用する回転数設定を操作部の設定による冷蔵庫制御データ調節設定モードで任意の値に設定できるようにしたものである。
【００３８】
以上のように、操作部の設定による冷蔵庫制御データ調節設定モードで使用する圧縮機回転数設定を任意の値に設定できるため、冷えが悪いといった庫内温度クレーム対応だけでなく圧縮機の運転音によるクレームの対応が容易にできる。
【００３９】
また、ステップ２００で、冷凍室庫内温度と圧縮機３のｏｎ設定温度との差が大きい場合や冷蔵室庫内温度とダンパ９の開設定温度との差が大きい場合に、ステップ３０１で送風機回転数を上昇させ、より早く庫内温度を設定温度に近づけるよう運転する。このように庫内温度により送風機７の回転数を可変する設定にしているが、冷蔵庫の設置状態や送風機回転数設定によっては送風機７の運転音による騒音や振動といったクレームになる場合があるため、クレームが発生した場合は冷蔵庫の設置状態等により使用する送風機回転数設定を操作部の設定による冷蔵庫制御データ調節設定モードで任意の値に設定できるようにしたものである。
【００４０】
以上のように、操作部の設定による冷蔵庫制御データ調節設定モードで使用する送風機回転数設定を任意の値に設定できるため、冷えが悪いといった庫内温度クレーム対応だけでなく送風機の運転音によるクレームの対応が容易にできる。
【００４１】
また、ステップ４０２では庫内温度調節や結露を防止するために設置された庫内温度補償用ヒータ１４の通電率設定を行うが、庫内温度調節や結露に対し、微調節が必要になった場合に操作部１１の設定による冷蔵庫制御データ調節設定モードで通電率を任意の値に設定できるようにしたものである。
【００４２】
以上のように、操作部の設定による冷蔵庫制御データ調節設定モードで使用する庫内温度補償ヒータの通電率設定を任意の値に設定できるため、庫内の冷えすぎや結露に対するクレームの対応が容易にできる。
【００４３】
また、ステップ５００では操作部１１の設定による冷蔵庫制御データ調節設定モードで設定された冷蔵庫制御データを停電が発生した場合や電源がＯＦＦされた場合でも記憶手段１３で設定されたデータを記憶できるようにしたものである。
【００４４】
以上のように、操作部の設定による冷蔵庫制御データ調節設定モードで設定された冷蔵庫制御データ設定を記憶するので、停電等で冷蔵庫の電源がＯＦＦしても設定された冷蔵庫運転制御用データを記憶しているため、冷蔵庫の運転が再開した後も設定変更された冷蔵庫運転制御データで運転を再開することができる。
【産業上の利用可能性】
【００４５】
以上のように、本発明にかかる冷蔵庫は、操作部の設定により制御データ調節設定モードを備え制御データを容易に変更できるので操作部を備え各負荷を制御するデータを備える機器全般に適用できる。
【符号の説明】
【００４６】
１  冷凍室温度検知センサ
３  圧縮機
７  送風機
８  冷蔵室温度検知センサ
９  ダンパ
１１  操作部
１４  庫内温度補償ヒータ
【図１】
2011252634.tif 000003
【図２】
2011252634.tif 000004
【図３】
2011252634.tif 000005